(57)【要約】【課題】出隅及び入隅のいずれにも適用することができ、また、組み立て前においては、梱包及び在庫管理が容易な平板状の製品として取り扱うことができる隅部用壁板材を提供する。【解決手段】薄肉部２が形成され、この薄肉部２を基準として山折り或いは谷折りすることにより、薄肉部２の左右両側の第一部材３と第二部材４とに切り離すことができるように構成され、第一部材３の両端部のうち、薄肉部２とは反対側の端部に第一連結部５が形成され、第二部材４の両端部のうち、薄肉部２とは反対側の端部に第二連結部６が形成され、第一連結部５と第二連結部６とを嵌合させることにより、切り離された第一部材３と第二部材４とを９０°の角度をもって連結させることができるように構成した。【選択図】図１
0003196488.tif 000002
【実用新案登録請求の範囲】
【請求項１】
長手方向と直交する断面が長手方向について一定である合成樹脂製の壁板材であって、
薄肉部が形成され、この薄肉部を基準として山折り或いは谷折りすることにより、薄肉部の左右両側の第一部材と第二部材とに切り離すことができるように構成され、
第一部材の両端部のうち、薄肉部とは反対側の端部に第一連結部が形成され、
第二部材の両端部のうち、薄肉部とは反対側の端部に第二連結部が形成され、
第一連結部と第二連結部とを嵌合させることにより、切り離された第一部材と第二部材とを９０°の角度をもって連結させることができるように構成されていることを特徴とする隅部用壁板材。
【請求項２】
第一部材及び第二部材が、構造物の壁の下地面に配置固定された場合に空間側に露呈して壁面を構成する表側部と、下地面に接触する裏側部とを有し、
第一部材の第一連結部が、表側部の外側角部から内側４５°の方向へ突出する表側傾斜突起部と、この表側傾斜突起部に対して外側へ一定の間隔を置いた位置において、裏側部から、表側傾斜突起部とは反対の方向へ突出する裏側傾斜突起部とによって構成され、
第二部材の第二連結部が、表側部の外側角部から内側４５°の方向へ突出する傾斜突出部と、その先端から外側へコの字状に折り返すように形成された折返し部とによって構成されていることを特徴とする、請求項１に記載の隅部用壁板材。
【請求項３】
第一部材及び第二部材が、下地面に接触するとともに隅部用壁板材を下地面に対して固定するための裏側固定部を有していることを特徴とする、請求項２に記載の隅部用壁板材。
【請求項４】
第一連結部における表側傾斜突条部と裏側傾斜突条部との間隔寸法が、第二連結部における傾斜突出部の肉厚寸法に対応し、
第二連結部における傾斜突出部と折返し部との間隔寸法が、第一連結部における表側傾斜突条部の肉厚寸法に対応していることを特徴とする、請求項２又は請求項３に記載の隅部用壁板材。
【請求項５】
第一部材の表側部と第二部材の表側部とが入隅状となるように第一部材と第二部材とを突き合わせた場合に、第一部材の表側傾斜突条部と第二部材の傾斜突出部とが、斜め４５°の方向に直線状に並列することになり、これらと裏側傾斜突状部及び折返し部との間に、直線状のスペースが形成されるように構成されていることを特徴とする、請求項２〜４のいずれかに記載の隅部用壁板材。
【考案の詳細な説明】
【技術分野】
【０００１】
本考案は、合成樹脂製の建築用壁板材に関し、特に、隅部（コーナー部）に配置される壁板材であって、出隅及び入隅のいずれにも適用することができる合成樹脂製壁板材に関する。
【背景技術】
【０００２】
建築物の壁面を施工する際に、壁の下地面に対して取り付けられる壁板材（化粧板）として、従来より様々な種類のものが製造され、市場に供給されている。このような壁板材は、左右の両側縁に端部加工が施され、隣接する壁板材の側縁の突条と溝とを嵌合させて連結できるように構成されていることが多く、この場合、一方の側縁部（先に配置した壁板材の側縁部）のみを壁の下地面に固定（ビス止め等）すればよいため（つまり、次に隣接配置する壁板材の側縁部は、先に配置した壁板材の固定済みの側縁部に連結させるだけでよく、改めて下地面に対してビス止め等を行う必要はないため）、作業を効率的に行うことができる。
【考案の概要】
【考案が解決しようとする課題】
【０００３】
ところで、施工対象となる壁面に出隅部や入隅部が形成されている場合、通常の（平面用の）壁板材のみでは、効率的に作業を行うことができず、また、美麗な壁面を施工することが難しいため、平面用の壁板材のほかに、出隅部専用の壁板材や、入隅部専用の壁板材が、いわゆる「役物」として製品ラインナップに準備されていることが多いが、そのような隅部専用の材料は、板材が直角に屈曲した状態となっているため、平板状の材料と比べて嵩張り、梱包や在庫管理において煩雑である。
【０００４】
本考案は、上記のような従来技術における問題を解決しようとするものであって、出隅及び入隅のいずれにも適用することができ、また、組み立て前（切り離し前）においては、梱包及び在庫管理が容易な平板状の製品として取り扱うことができる隅部用壁板材を提供することを目的とする。
【課題を解決するための手段】
【０００５】
本考案に係る隅部用壁板材は、長手方向と直交する断面が長手方向について一定である合成樹脂製の壁板材であって、薄肉部が形成され、この薄肉部を基準として山折り或いは谷折りすることにより、薄肉部の左右両側の第一部材と第二部材とに切り離すことができるように構成され、第一部材の両端部のうち、薄肉部とは反対側の端部に第一連結部が形成され、第二部材の両端部のうち、薄肉部とは反対側の端部に第二連結部が形成され、第一連結部と第二連結部とを嵌合させることにより、切り離された第一部材と第二部材とを９０°の角度をもって連結させることができるように構成されていることを特徴としている。
【０００６】
尚、第一部材及び第二部材が、構造物の壁の下地面に配置固定された場合に空間側に露呈して壁面を構成する表側部と、下地面に接触する裏側部と、下地面に接触するとともに隅部用壁板材を下地面に対して固定するための裏側固定部とを有し、第一部材の第一連結部が、表側部の外側角部から内側４５°の方向へ突出する表側傾斜突起部と、この表側傾斜突起部に対して外側へ一定の間隔を置いた位置において、裏側部から、表側傾斜突起部とは反対の方向へ突出する裏側傾斜突起部とによって構成され、第二部材の第二連結部が、表側部の外側角部から内側４５°の方向へ突出する傾斜突出部と、その先端から外側へコの字状に折り返すように形成された折返し部とによって構成されていることが好ましい。
【０００７】
また、第一連結部における表側傾斜突条部と裏側傾斜突条部との間隔寸法が、第二連結部における傾斜突出部の肉厚寸法に対応し、第二連結部における傾斜突出部と折返し部との間隔寸法が、第一連結部における表側傾斜突条部の肉厚寸法に対応していることが好ましい。
【０００８】
更に、第一部材の表側部と第二部材の表側部とが入隅状となるように第一部材と第二部材とを突き合わせた場合に、第一部材の表側傾斜突条部と第二部材の傾斜突出部とが、斜め４５°の方向に直線状に並列することになり、これらと裏側傾斜突状部及び折返し部との間に、直線状のスペースが形成されるように構成されていることが好ましい。
【考案の効果】
【０００９】
本考案に係る隅部用壁板材は、出隅及び入隅のいずれにも適用することができ、非常に汎用性が高く、出隅部専用の壁板材と入隅部専用の壁板材を製品ラインナップに揃える場合と比較して、使用する型材が１種類で済み、製造コストを大幅に節減できるほか、在庫管理も容易となる。また、薄肉部の位置で第一部材と第二部材とを切り離す前においては平板状であるため、梱包及び在庫管理が容易であり、更に、第一部材と第二部材の数が不揃いとなるという不都合も生じない。
【図面の簡単な説明】
【００１０】
【図１】図１は、本考案に係る隅部用壁板材１の水平断面（長手方向と直交する断面）形状を示す図である。
【図２】図２は、本考案に係る隅部用壁板材１の水平断面形状を示す図であって、薄肉部２を基準として左右に（第一部材３と第二部材４とに）切り離した状態を示す図である。
【図３】図３は、図２に示す第一部材３と第二部材４とを出隅状に連結した状態を示す図である。
【図４】図４は、図１に示す隅部用壁板材１とともに用いられる平面用壁板材１１の水平断面形状を示す図である。
【図５】図５は、図４に示す平面用壁板材１１の壁６０に対して固定する方法の説明図である。
【図６】図６は、図３に示す隅部用壁板材１の第一部材３を壁６０の出隅部に対して配置する方法の説明図である。
【図７】図７は、図３に示す隅部用壁板材１の第二部材４を壁６０の出隅部に対して固定する方法の説明図である。
【図８】図８は、図３に示す隅部用壁板材１を先に配置し、その直近の平面位置に、平面用壁板材１１Ｃを後から配置し、固定する方法の説明図である。
【図９】図９は、図３に示す隅部用壁板材１を先に配置し、その直近の平面位置に、平面用壁板材１１Ｃを後から配置し、固定する方法の説明図である。
【図１０】図１０は、図２に示す第一部材３と第二部材４とを入隅状に連結した状態を示す図である。
【考案を実施するための形態】
【００１１】
以下、本考案を実施するための形態について説明する。本考案に係る隅部用壁板材１は、原料樹脂を型から押し出すことによって成形されており、長手方向と直交する断面が長手方向について一定であり、長手方向のいずれの位置においても、長手方向と直交する断面が図１に示すような形状を呈するように構成されている。
【００１２】
この隅部用壁板材１は、構造物の壁の下地面に配置固定された場合において、空間側に露呈して壁面を構成する表側部３ａ，４ａと、下地面側に接触する裏側部３ｃ，４ｃと、下地面側に接触するとともに、この隅部用壁板材１を下地面に対して固定するための裏側固定部３ｄ，４ｄと、図１において左側の第一連結部５と、右側の第二連結部６とによって構成されている。
【００１３】
この隅部用壁板材１は、殆どの部分において厚さ寸法が２〜２．７ｍｍとなるように構成されているが、幅方向（図１における左右方向）における中央部付近において１個所だけ、厚さ寸法が約１ｍｍの薄肉部２が形成されており、この薄肉部２を基準として山折り或いは谷折りすることにより（薄肉部２を上方へ持ち上げるとともに、隅部用壁板材１の両端部を下方へ押し下げることにより、或いは、薄肉部２を下方へ押し下げるとともに、隅部用壁板材１の両端部を上方へ持ち上げることにより）、薄肉部２における原料合成樹脂を折って割り、その左右両側の部分を相互に（図１において左側の第一部材３、及び、図１において右側の第二部材４とに）切り離すことができるように構成されている。
【００１４】
図２は、図１に示す薄肉部２を基準として、隅部用壁板材１を左側の第一部材３及び右側の第二部材４とに切り離した状態を示す図である。これらの切り離された第一部材３と第二部材４とは、９０°の角度をもって連結させることができるように構成されている。具体的には、第一部材３に対して第二部材４を９０°の角度をもって突き合わせた場合に、第一部材３の左端（薄肉部２とは反対側の端部）に形成されている第一連結部５と、第二部材４の右端（薄肉部２とは反対側の端部）に形成されている第二連結部６とを相互に嵌合させることができ、これによって第一部材３と第二部材４とを、出隅状に連結できるようになっている。
【００１５】
より詳細には、第一連結部５が、表側部３ａの外側角部３ｂ（表側部３ａの両角部のうち、図１に示す薄肉部２とは反対側の角部）から内側４５°の方向へ突出する表側傾斜突条部７と、この表側傾斜突条部７に対して外側へ一定の間隔を置いた位置において、裏側部３ｃから、表側傾斜突条部７とは反対の方向へ突出する裏側傾斜突条部８とによって構成されており、一方、第二連結部６が、表側部４ａの外側角部４ｂ（表側部４ａの両角部のうち、図１に示す薄肉部２とは反対側の角部）から内側４５°の方向へ突出する傾斜突出部９と、その先端から外側へコの字状に折り返すように形成された折返し部１０とによって構成されている。
【００１６】
そして、第一連結部５における表側傾斜突条部７と裏側傾斜突条部８との間隔寸法が、第二連結部６における傾斜突出部９の肉厚寸法に対応しており（傾斜突出部９の肉厚寸法とほぼ等しい寸法に設定されており）、また、第二連結部６における傾斜突出部９と折返し部１０との間隔寸法が、第一連結部５における表側傾斜突条部７の肉厚寸法に対応している（表側傾斜突条部７の肉厚寸法とほぼ等しい寸法に設定されている）。
【００１７】
従って、第一部材３と第二部材４とが９０°の角度となる向きで、それらの端面同士を突き合わせ、第二部材４の折返し部１０が、第一部材３の表側傾斜突条部７の内側の位置となるように、また、第二部材４の傾斜突出部９が、第一部材３の表側傾斜突条部７と裏側傾斜突条部８との間の位置となるようにして、一方（第一部材３又は第二部材４）に対して他方（第二部材４又は第一部材３）を長手方向へスライドさせていくことにより、図２に示す第一連結部５と第二連結部６とを、図３に示すように相互に嵌合させることができ、これによって第一部材３と第二部材４とを出隅状に連結させることができる。
【００１８】
尚、第一部材３と第二部材４とを出隅状に連結させた隅部用壁板材１は、特別な場合においては、図３に示す状態のまま使用されるが、その他の場合には、図３に示す破線ＣＬの位置で切断し、裏側固定部３ｄを取り除き、裏側固定部３ｄを支持していた下顎部３ｅを残存させた状態で使用する。この点については、後述する。
【００１９】
この隅部用壁板材１は、図４に示すような断面形状を有する平面用壁板材１１とともに使用することにより、出隅部を有する壁面を簡単に施工することができ、見栄えの良い美麗な壁面を容易に形成することができる。
【００２０】
図４に示す平面用壁板材１１は、図１等に示す隅部用壁板材１の表側部３ａと共通の表面模様を有する表側部１２と、下地面側に接触する裏側部１３と、下地面側に接触するとともに、この平面用壁板材１１を下地面に対して固定するための裏側固定部１４と、第一連結部１５と、第二連結部１６とによって構成されている。
【００２１】
第一連結部１５は、平面用壁板材１１の厚さ方向の内側寄りの位置（表側部１２と、裏側部１３及び裏側固定部１４との間の位置）において、表側部１２における第一連結部１５側の角部２１よりも外側（図４において左側）へ突出するように形成された係合用突条部１７を有しており、一方、第二連結部１６は、表側部１２における第二連結部１６側の角部２２から、平面用壁板材１１の厚さ方向内側へ向かって僅かに突出するように形成された上顎部１８と、表側部１２の角部２２の下端（上顎部１８）から平面用壁板材１１の厚さ方向へ所定間隔を置いた位置において、先端が外側（図４において右側）へ向かって突出するように形成された下顎部１９とを有している。
【００２２】
この平面用壁板材１１は、第一連結部１５の係合用突条部１７を、他の平面用壁板材１１の上顎部１８と下顎部１９との間の領域に進入させることによって、隣接する平面用壁板材１１同士を簡単に連結できるように構成されている。
【００２３】
ここで、図１〜３に示す隅部用壁板材１と、図４に示す平面用壁板材１１とを用いて、出隅部を有する壁面を施工する方法について簡単に説明する。尚、壁の平面部分（下地面）においては、図４に示す平面用壁板材１１を１枚ずつ順番に配置、固定していき、出隅部においては、図３に示す隅部用壁板材１（第一部材３及び第二部材４を出隅状に連結した隅部用壁板材１）を配置、固定する。
【００２４】
より具体的には、図４に示す平面用壁板材１１は、次のような要領で配置し、固定する。まず、図５に示すように、壁６０の下地面６１に対して平面用壁板材１１Ａを取り付け、位置合わせを行った後、裏側固定部１４においてビス２０を壁６０の内部まで打ち込み、平面用壁板材１１Ａを下地面６１に対して固定する。
【００２５】
次に、この平面用壁板材１１Ａと隣接する平面用壁板材１１Ｂを、図５において実線で示す位置から破線で示す位置までスライドさせて、平面用壁板材１１Ｂの第二連結部１６を、先に取り付けた平面用壁板材１１Ａの第一連結部１５と連結させる。そして、先に取り付けた平面用壁板材１１Ａと同様に、ビス２０を平面用壁板材１１Ｂの裏側固定部（図示せず）に打ち込んで下地面６１に対して固定する。
【００２６】
一方、図３に示す隅部用壁板材１は、次のような要領で配置し、固定する。まず、図６に示すように、隅部の直近の平面部分において既に平面用壁板材１１が固定されている場合には、図３に示す破線ＣＬにおいて切断し、裏側固定部３ｄを取り除いた隅部用壁板材１を、図６において実線で示す位置から破線で示す位置までスライドさせて、第一部材３の表側部３ａと下顎部３ｅの間に、平面用壁板材１１の係合用突条部１７を進入させて、隅部用壁板材１と平面用壁板材１１とを連結する。
【００２７】
そして、図７に示すように、第二部材４の裏側固定部４ｄにもビス２０を打ち込み、第二部材４を下地面６１に対して固定する。尚、この固定した第二部材４に隣接する位置には、平面用壁板材１１が配置されることになるが、この平面用壁板材１１と第二部材４とは、第二部材４の係合用突条部４ｅと平面用壁板材１１の第二連結部１６とが連結されるように配置する。
【００２８】
尚、壁６０の隅部に対して先に隅部用壁板材１を配置し、最後にその直近の平面部分に平面用壁板材１１を配置し、固定する必要がある場合には、図３に示す隅部用壁板材１を、破線ＣＬにおいて切断せずに（即ち、裏側固定部３ｄを付帯した状態のままで）使用するとともに、平面用壁板材１１として、裏側固定部１４（図４参照）を除去したものを使用する。
【００２９】
具体的には、図８に示すように、まず、裏側固定部を除去した平面用壁板材１１Ｃの係合用突条部１７を、先に配置されている隅部用壁板材１の第一部材３の表側部３ａと下顎部３ｅとの間のスペースの奥まで進入させ、平面用壁板材１１Ｃの第二連結部１６を、先に固定されている平面用壁板材１１Ａの第一連結部１５と向き合う位置にセットする。次に、図９に示すように、平面用壁板材１１Ｃを、先に固定されている平面用壁板材１１Ａの方向へスライドさせ、平面用壁板材１１Ａの第一連結部１５と、平面用壁板材１１Ｃの第二連結部１６とを連結させる。そして、ビス２０を、平面用壁板材１１Ｃの係合用突条部１７の上から、その下側の裏側固定部３ｄを貫通させて、壁６０の内部まで打ち込み、平面用壁板材１１Ｃ及び隅部用壁板材１の第一部材３を下地面６１に対して固定する。
【００３０】
このように、図３に示す出隅状に連結した隅部用壁板材１と、図４に示す平面用壁板材１１とを用いれば、出隅部を有する壁面を簡単に施工することができ、また、見栄えの良い美麗な壁面を容易に形成することができる。
【００３１】
尚、図１に示す隅部用壁板材１及び図２に示す第一部材３、第二部材４は、図３に示すような出隅状の連結状態を実現できるだけでなく、入隅状の連結状態をも簡単に実現することができる。具体的には、図１０（１）に示すように、表側部３ａと表側部４ａとが入隅状となるように第一部材３と第二部材４とを突き合わせると、第一部材３の表側傾斜突条部７と第二部材４の傾斜突出部９とが、斜め４５°の方向に直線状に並列することになり、これらと裏側傾斜突条部８及び折返し部１０との間に、直線状のスペースが形成されることになる。そして、このスペースに連結板２３を挿入し、この連結板２３を、第一部材３の表側傾斜突条部７と裏側傾斜突条部８、及び、第二部材４の傾斜突出部９と折返し部１０にそれぞれ挟持させることにより、入隅状の連結状態を実現することができる。
【００３２】
尚、連結板２３は、専用の部材として製品化して、隅部用壁板材１及び平面用壁板材１１のほかに予め準備するようにしてもよいが、図４に示す平面用壁板材１１の一部分（図４に示すＰ部分）を、カッター等を用いて適宜切り取り、不要な部分を取り除いたものを、連結板２３として流用するにようにしてもよい。
【００３３】
尚、図１０（１）に示すように、第一部材３の表側部３ａと第二部材４の表側部４ａの端部同士を突き合わせた入隅形状だけでなく、図１０（２）に示すように、第一部材３の表側部３ａと第二部材４の表側部４ａの端部同士の間に一定の間隔を置き、そこから連結板２３の表側部が露呈するような入隅形状をも実現することができる。この場合、連結板２３が露出する幅（入隅幅）の寸法は、自由に調整することができるため、設計の自由度が拡がるだけでなく、現場における誤差等を飲み込むことができ、非常に実用性が高い。また、連結板２３として、図４に示す平面用壁板材１１におけるＰ部分を切り取って流用する場合、その表側部における表面模様は、第一部材の表側部３ａ及び第二部材の表側部４ａの表面模様と共通しているため、違和感を生じさせることなく、表面模様を連続させることができ、美麗な壁面を形成することができる。
【００３４】
このように第一部材３と第二部材４とを入隅状に連結した隅部用壁板材１は、図４に示した平面用壁板材１１とともに使用することにより、入隅部を有する壁面を簡単に施工することができ、見栄えの良い美麗な壁面を容易に形成することができる。尚、この入隅状に連結した隅部用壁板材１を壁の下地面に固定する方法、及び、これと隣り合う平面用壁板材１１と連結する方法は、図６〜９に示す方法と同様である。
【符号の説明】
【００３５】
１：隅部用壁板材、
２：薄肉部、
３：第一部材、
３ａ：表側部、
３ｂ：外側角部、
３ｃ：裏側部、
３ｄ：裏側固定部、
３ｅ：下顎部、
４：第二部材、
４ａ：表側部、
４ｂ：外側角部、
４ｃ：裏側部、
４ｄ：裏側固定部、
４ｅ：係合用突条部、
５：第一連結部、
６：第二連結部、
７：表側傾斜突条部、
８：裏側傾斜突条部、
９：傾斜突出部、
１０：折返し部、
１１，１１Ａ〜Ｃ：平面用壁板材、
１２：表側部、
１３：裏側部、
１４：裏側固定部、
１５：第一連結部、
１６：第二連結部、
１７：係合用突条部、
１８：上顎部、
１９：下顎部、
２０：ビス、
２１，２２：角部、
２３：連結板、
６０：壁、
６１：下地面、
【図１】
0003196488.tif 000003
【図２】
0003196488.tif 000004
【図３】
0003196488.tif 000005
【図４】
0003196488.tif 000006
【図５】
0003196488.tif 000007
【図６】
0003196488.tif 000008
【図７】
0003196488.tif 000009
【図８】
0003196488.tif 000010
【図９】
0003196488.tif 000011
【図１０】
0003196488.tif 000012